(57)【要約】【課題】ユーザーの使用感を損なうことなく、オフモードでの消費電力を抑制することができる画像形成装置を提供する。【解決手段】電源スイッチ５２の操作を監視するサブマイコン９と、モード情報を記憶するモード記憶部８２とを具備し、サブマイコン９は、オフモードで電源スイッチ５２のオン操作を検出すると、メインＣＰＵ７１及びエンジンＣＰＵ８１を起動させ、メインＣＰＵ７１は、起動によりモード情報を「オフモード以外」に更新した後、レディーモードに移行させると共に、レディーモードで電源スイッチ５２のオフ操作が検出されると、モード情報を「オフモード」に更新した後、オフモードに移行させ、サブマイコン９は、電源が遮断された後に再起動されると、エンジンＣＰＵ８１を起動させて、エンジンＣＰＵ８１経由でモード情報を確認する電源状態判別動作を行い、電源が遮断される前の電源供給モードに復帰させる。【選択図】図２
2017132113.tif 000002
【特許請求の範囲】
【請求項１】
装置全体を制御するメインＣＰＵと、前記メインＣＰＵから指示を受けて印刷ジョブの実行を制御する、前記メインＣＰＵよりも消費電力が小さいエンジンＣＰＵとを備えた画像形成装置であって、
電源供給モードとして、前記メインＣＰＵ及び前記エンジンＣＰＵに電源が供給されるレディーモードと、前記メインＣＰＵ及び前記エンジンＣＰＵへの電源が遮断され、電源スイッチの操作だけを監視するオフモードとを有し、
全ての前記電源供給モードで電源が供給され、前記電源スイッチの操作を監視するマイコンと、
前記エンジンＣＰＵの管理下にあり、前記電源供給モードをモード情報として記憶する不揮発性メモリーとを具備し、
前記マイコンは、前記オフモードで前記電源スイッチのオン操作を検出すると、前記メインＣＰＵ及び前記エンジンＣＰＵへの電源の供給を開始させて起動させ、
前記メインＣＰＵは、起動により前記エンジンＣＰＵ経由で前記モード情報を「オフモード以外」に更新した後、前記レディーモードに移行させると共に、前記レディーモードで前記マイコンによって前記電源スイッチのオフ操作が検出されると、前記エンジンＣＰＵ経由で前記モード情報を「オフモード」に更新した後、前記オフモードに移行させ、
前記マイコンは、電源が遮断された後に再起動されると、前記エンジンＣＰＵへの電源の供給を開始させて起動させて、前記エンジンＣＰＵ経由で前記モード情報を確認する電源状態判別動作を行い、電源が遮断される前の前記電源供給モードに復帰させることを特徴とする画像形成装置。
【請求項２】
前記マイコンと前記エンジンＣＰＵとの間には、前記モード情報をモード通知信号として通知する第１の信号線と、前記モード通知信号の通知が完了したことを通知完了信号として通知する第２の信号線とが設けられており、
前記マイコンは、前記エンジンＣＰＵの起動後に、前記通知完了信号が予め設定したタイムアウト時間が経過しても通知されない場合には、前記メインＣＰＵへの電源の供給を開始させて起動させることを特徴とする請求項１記載の画像形成装置。
【請求項３】
前記電源供給モードとして、前記メインＣＰＵ及び前記エンジンＣＰＵをクロック低速モードで動作させるスリープモードを有し、
前記マイコンと前記エンジンＣＰＵとの間には、前記スリープモードからの復帰種別を通知する第３の信号線が設けられており、
前記マイコンは、前記第３の信号線を用いて前記エンジンＣＰＵに前記電源状態判別動作のための起動であることを認識させることを特徴とする請求項１又は２記載の画像形成装置。
【発明の詳細な説明】
【技術分野】
【０００１】
本発明は、ソフトスイッチである電源スイッチのオフ操作により、電源スイッチの操作だけを監視するモード（以下、オフモードと称す）に移行する画像形成装置に関する。
【背景技術】
【０００２】
オフモードを有する画像形成装置では、電源スイッチがオン操作されると、各機能（コピー機能、プリント機能、ＦＡＸ機能、ネットワーク機能等）を実現するデバイスに電源が供給されるレディーモードになる。そして、レディーモードで、電源スイッチがオフ操作されると、各機能を実現するデバイスへの電源の供給を停止し、電源スイッチの操作を監視するオフモードとなる。
【０００３】
また、画像形成装置には、画像処理を行うと共に、装置全体を制御するメインＣＰＵと、メインＣＰＵから指示を受けて印刷部（印刷ジョブを実行するエンジン部）を制御するエンジンＣＰＵとを備えたものがある。このような画像形成装置において、オフモードでの電源スイッチの操作の監視は、メインＣＰＵよりも消費電力の小さいエンジンＣＰＵが担っていた。その理由は、メインＣＰＵではクロック低速モードであっても、エンジンＣＰＵのクロック低速モードと比較すると消費電力が大きいからである。
【０００４】
従って、オフモードでは、エンジンＣＰＵにのみ電源が供給される電源供給状態となっているが、オフモードで、停電やＡＣプラグの挿抜により電力供給が遮断され再投入されると、エンジンＣＰＵは再起動される。この際、エンジンＣＰＵが制御している不揮発性メモリーに「オフモード」と「オフモード以外」とを区別するモード情報を記憶しておくことで、エンジンＣＰＵは、電力供給が遮断される前の電源供給状態に復帰させるように構成されている（例えば、特許文献１を参照）。これにより、ＦＡＸを待ち受け時等のレディーモードで停電や瞬時停電が起こった際に、ユーザーの操作を介さずに待ち受け状態に戻ることができる。また、電源スイッチをオフ操作してオフモードにしてＡＣプラグを挿抜した際にオフモードに復帰するため、装置を移動する際にオフモードを利用しても自然な挙動となる。
【先行技術文献】
【特許文献】
【０００５】
【特許文献１】特開２０１４−１０４６５４号公報
【発明の概要】
【発明が解決しようとする課題】
【０００６】
しかしながら、従来技術では、オフモードで電源スイッチの操作を監視する監視手段として、メインＣＰＵよりも消費電力が小さいエンジンＣＰＵを用いているが、オフモードでの消費電力のさらなる抑制が期待されている。オフモードでの消費電力のさらなる抑制のために、エンジンＣＰＵよりもさらに消費電力が小さいマイコンを設けて電源スイッチの操作の監視のみを行うことも考えられる。しかし、この場合には、エンジンＣＰＵを起動させなければ、モード情報を記憶した不揮発性メモリーにアクセスすることができないため、オフモード時の再起動でもエンジン部が駆動され、ユーザーの使用感が損なわれてしまうという問題点があった。なお、モード情報を記憶した不揮発性メモリーにアクセス可能なマイコンを電源スイッチ監視用に設けた場合には、このマイコンの消費電力自体が大きなものになってしまう。
【０００７】
本発明は、上記課題に鑑みてなされたものであり、ユーザーの使用感を損なうことなく、オフモードでの消費電力を抑制することができる画像形成装置を提供することを目的とする。
【課題を解決するための手段】
【０００８】
本発明の画像形成装置は、装置全体を制御するメインＣＰＵと、前記メインＣＰＵから指示を受けて印刷ジョブの実行を制御する、前記メインＣＰＵよりも消費電力が小さいエンジンＣＰＵとを備えた画像形成装置であって、電源供給モードとして、前記メインＣＰＵ及び前記エンジンＣＰＵに電源が供給されるレディーモードと、前記メインＣＰＵ及び前記エンジンＣＰＵへの電源が遮断され、電源スイッチの操作だけを監視するオフモードとを有し、全ての前記電源供給モードで電源が供給され、前記電源スイッチの操作を監視するマイコンと、前記エンジンＣＰＵの管理下にあり、前記電源供給モードをモード情報として記憶する不揮発性メモリーとを具備し、前記マイコンは、前記オフモードで前記電源スイッチのオン操作を検出すると、前記メインＣＰＵ及び前記エンジンＣＰＵへの電源の供給を開始させて起動させ、前記メインＣＰＵは、起動により前記エンジンＣＰＵ経由で前記モード情報を「オフモード以外」に更新した後、前記レディーモードに移行させると共に、前記レディーモードで前記マイコンによって前記電源スイッチのオフ操作が検出されると、前記エンジンＣＰＵ経由で前記モード情報を「オフモード」に更新した後、前記オフモードに移行させ、前記マイコンは、電源が遮断された後に再起動されると、前記エンジンＣＰＵへの電源の供給を開始させて起動させて、前記エンジンＣＰＵ経由で前記モード情報を確認する電源状態判別動作を行い、電源が遮断される前の前記電源供給モードに復帰させることを特徴とする。
さらに、本発明の画像形成装置において、前記マイコンと前記エンジンＣＰＵとの間には、前記モード情報をモード通知信号として通知する第１の信号線と、前記モード通知信号の通知が完了したことを通知完了信号として通知する第２の信号線とが設けられており、前記マイコンは、前記エンジンＣＰＵの起動後に、前記通知完了信号が予め設定したタイムアウト時間が経過しても通知されない場合には、前記メインＣＰＵへの電源の供給を開始させて起動させても良い。
さらに、本発明の画像形成装置において、前記電源供給モードとして、前記メインＣＰＵ及び前記エンジンＣＰＵをクロック低速モードで動作させるスリープモードを有し、前記マイコンと前記エンジンＣＰＵとの間には、前記スリープモードからの復帰種別を通知する第３の信号線が設けられており、前記マイコンは、前記第３の信号線を用いて前記エンジンＣＰＵに前記電源状態判別動作のための起動であることを認識させても良い。
【発明の効果】
【０００９】
本発明によれば、電源スイッチの操作を監視するマイコンとして、不揮発性メモリーへのアクセス機能を有していない、機能が限定されるものを用いても、停電やＡＣプラグの挿抜により電力供給が遮断され再投入されると、電力供給が遮断される前の電源供給モードに復帰させることができるため、ユーザーの使用感を損なうことがない。また、マイコンの機能が限定されているため、マイコンの消費電力をメインＣＰＵ及びエンジンＣＰＵのクロック低速モードに比べても格段に小さくすることができ、オフモードでの消費電力を抑制することができる。
【図面の簡単な説明】
【００１０】
【図１】本発明に係る画像形成装置の実施の形態の内部構成を示す断面模式図である。
【図２】図１に示す画像形成装置の概略構成を示すブロック図である。
【図３】図１に示す画像形成装置が有する電源供給モードを説明するモード遷移図である。
【図４】図２に示すサブマイコンとエンジンＣＰＵとの間に設けられた信号線を示す図である。
【図５】図４に示す信号線の使用方法を示す図である。
【図６】図２に示すサブマイコンの電源状態判別動作を示すフローチャートである。
【発明を実施するための形態】
【００１１】
次に、本発明の実施の形態を、図面を参照して具体的に説明する。
本実施の形態の画像形成装置１は、図１を参照すると、原稿読取部２と、原稿給送部３と、本体部４と、操作部５とを備えている。原稿読取部２は、本体部４の上部に配設され、原稿給送部３は、原稿読取部２の上部に配設されている。操作部５は、画像形成装置１の手前側に配設されている。また、原稿給送部３と原稿読取部２とは、画像形成装置１の奥側でヒンジ機構によって接続されており、原稿給送部３を手前側から上方に開くことで、原稿読取部２上面のプラテンガラス２２を開放可能な構成になっている。
【００１２】
画像形成装置１の手前側には、画像形成装置１の設定や動作指示を行う操作部５が配設されている。操作部５は、液晶表示部５１、電源スイッチ５２、操作ボタン５３が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、原稿サイズの設定、両面印刷や白黒反転等の機能や倍率設定、濃度設定など各種設定を行うことができる。電源スイッチ５２は、各機能を実現するデバイスへの電源の供給を停止し、電源スイッチ５２のオン操作だけを監視するオフモードへの移行を指示するソフトスイッチである。操作ボタン５３としては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１３】
原稿読取部２は、スキャナー２１と、プラテンガラス２２と、原稿読取スリット２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等からなる受光部２５とを備えており、原稿給送部３による原稿の搬送方向に移動可能に構成されている。プラテンガラス２２は、ガラス等の矩形状の透明部材により構成され、原稿読取部２の上面に配置された原稿台である。原稿読取スリット２３は、原稿給送部３による原稿の搬送方向と直交する方向に形成されたスリットである。
【００１４】
原稿給送部３は、原稿載置部３１と、原稿搬送機構３２と、原稿排出部３３とを備えている。原稿載置部３１に載置された原稿は、原稿搬送機構３２によって、１枚ずつ順に繰り出されて原稿読取スリット２３に対向する位置へ搬送され、その後、原稿排出部３３に排出される。
【００１５】
原稿給送部３は、プラテンガラス２２上面を開閉するプラテンカバーとして機能し、原稿給送部３を上方に開くことで、プラテンガラス２２上面が開放され、プラテンガラス２２に原稿をセットできる状態となる。
【００１６】
原稿載置部３１に原稿が載置されていない状態や、原稿給送部３（プラテンカバー）が開いた開状態で、操作部５の操作ボタン５３によって原稿の読み取りが指示されると、プラテンガラス２２に載置された原稿が読み取られる。プラテンガラス２２に載置された原稿を読み取る場合には、スキャナー２１は、プラテンガラス２２に対向する位置に移動され、プラテンガラス２２に載置された原稿を主走査方向と直交する副走査方向に走査しながら読み取って画像データを取得し、取得した画像データを本体部４に出力する。
【００１７】
原稿載置部３１に原稿が載置された状態で、操作部５の操作ボタン５３によって原稿の読み取りが指示されると、原稿給送部３により搬送された原稿が読み取られる。原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１８】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読取部２と本体部４との間に形成された排出部４６に排出される。このように、給紙ローラー４２、搬送ローラー４４及び排出ローラー４５は、記録紙Ｐの搬送部４０として機能する。
【００１９】
記録部６は、感光体ドラム６１と、帯電部６２と、露光部６３と、現像部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。現像部６４は、トナーを用いて感光体ドラム６１に形成された静電潜像を現像する現像ユニットであり、静電潜像に基づいたトナー像を感光体ドラム６１上に形成させる。転写部６５は、現像部６４によって感光体ドラム６１上に形成されたトナー像を記録紙Ｐに転写させる。定着部６６は、転写部６５によってトナー像が転写された記録紙Ｐを加熱してトナー像を記録紙Ｐに定着させる。そして感光体ドラム６１上に残存するトナーは、クリーニング部６７によって除去される。
【００２０】
図２には、画像形成装置１の概略構成を示すブロック図が示されている。
画像形成装置１は、装置全体の制御を行う主制御部７と、主制御部７から指示を受けて印刷ジョブを実行するエンジン制御部８と、サブマイコン９とを備えている。
【００２１】
主制御部７は、メインＣＰＵ７１、ＲＯＭ（Read Only Memory）、ＲＡＭ（Random Access Memory）等を備えた情報処理部である。ＲＯＭには画像形成装置１の動作制御を行うための制御プログラムが記憶されている。メインＣＰＵ７１は、ＲＯＭに記憶されている制御プログラムを読み出し、制御プログラムをＲＡＭに展開させることで、装置全体を制御する。また、主制御部７は、画像処理専用のＡＳＩＣ等を備え、画像データに対して各種画像処理（拡大／縮小、濃度変換およびデータ形式変換等）を施す画像処理部７２として機能する。
【００２２】
また、主制御部７には、操作部５の液晶表示部５１及び操作ボタン５３と、通信部１１と、記憶部１２とが接続されている。主制御部７は、液晶表示部５１及び操作ボタン５３の操作に応じて装置全体を制御すると共に、液晶表示部５１の表示動作を制御する。通信部１１は、ＬＡＮ等のネットワークを介して、パーソナルコンピューター等のユーザー端末から印刷ジョブ等を受信する機能を有する。記憶部１２は、半導体メモリーやＨＤＤ（Hard Disk Drive）等の記憶手段であり、印刷データである原稿読取部２によって原稿を読み取ることで取得された画像データや通信部１１によって受信した印刷ジョブ等が記憶される。
【００２３】
エンジン制御部８は、主制御部７から指示を受けて印刷ジョブを実行するエンジン部として機能する原稿読取部２、原稿給送部３、記録部６及び搬送部４０を制御する。エンジン制御部８は、エンジンＣＰＵ８１、ＲＯＭ（Read Only Memory）、ＲＡＭ（Random Access Memory）等を備えた情報処理部である。ＲＯＭにはエンジン部の動作制御を行うための制御プログラムが記憶されている。エンジンＣＰＵ８１は、ＲＯＭに記憶されている制御プログラムを読み出し、制御プログラムをＲＡＭに展開させることで、主制御部７の指示に基づいてエンジン部を制御する。
【００２４】
また、エンジン制御部８は、「オフモード」と「オフモード以外」とを区別するモード情報を記憶するモード記憶部８２を備えている。モード記憶部８２は、エンジンＣＰＵ８１の管理下にある不揮発性メモリーであり、例えば、エンジンＣＰＵ８１に搭載されているＥＥＰＲＯＭ等で構成することができる。また、本実施の形態において、モード情報は、「オフモード」を「０」、「オフモード以外」を「１」とする１ビットで構成する。
【００２５】
サブマイコン９は、マイクロコンピューターを備えた情報処理部であり、電源スイッチ５２と電源部１０とに接続されている。電源部１０は、図示しない商用電源からの電力供給を受け、画像形成装置１の各部を動作させるのに必要な電源（電圧）を生成する。サブマイコン９は、電源スイッチ５２の操作の監視と、電源部１０から各部への電源管理とを行う電源管理用の制御部である。なお、サブマイコン９自体で行う制御は、オフモードにおける電源スイッチ５２のオン操作で電源部１０からメインＣＰＵ７１への電源供給を開始させる制御と、起動時におけるメインＣＰＵ７１及びエンジンＣＰＵ８１への電源供給の管理とのみである。その他の電源部１０から各部への電源供給の管理は、実際はメインＣＰＵ７１が管理し、サブマイコン９は、主制御部７のメインＣＰＵ７１と通信を行い、メインＣＰＵ７１の指示に従う。従って、電源スイッチ５２がオフ操作された際もサブマイコン９はメインＣＰＵ７１に電源スイッチ５２の操作を通知するのみとし、電源部１０から各部への電源供給の管理はメインＣＰＵ７１が行う。従って、電源スイッチ５２がオフ操作されると、サブマイコン９は、メインＣＰＵ７１の制御にて、主制御部７とエンジン制御部８との電源遮断を行う。
【００２６】
次に、画像形成装置１における電源供給モードについて図３を参照して詳細に説明する。
画像形成装置１は、図３に示すように、電源供給モードとして、レディーモードと、レディーモードよりも消費電力を減らすスリープモードと、スリープモードよりもさらに消費電力を減らすオフモードとを有する。
【００２７】
レディーモードは、画像形成装置１が有する各機能（コピー機能、プリント機能、ネットワーク機能等）を実現する各部に電源が供給される通常モードである。レディーモードにおいて、電源部１０は、画像形成装置１の各部に対して通常の電力供給を行う。
【００２８】
レディーモードにおいて、メインＣＰＵ７１は、画像形成装置１が使用されないまま経過した未使用時間を計時し、未使用時間がスリープ移行時間を超えると、レディーモードからスリープモードに移行するよう電源部１０に指示する。あるいは、メインＣＰＵ７１は、スリープモード移行指示を操作部５から受け付けた場合にも、スリープモードに移行するようにサブマイコン９を介して電源部１０に指示する。
【００２９】
スリープモードにおいて、電源部１０は、主制御部７及びエンジン制御部８に接続された各部への電源供給を制限する。さらに、メインＣＰＵ７１及びエンジンＣＰＵ８１は、動作クロックを低くするクロック低速モードで動作し、消費電力を減らす。
【００３０】
レディーモードもしくはスリープモードにおいて、メインＣＰＵ７１は、画像形成装置１が使用されないまま経過した未使用時間を計時し、未使用時間がオフ移行時間を超えると、レディーモードもしくはスリープモードからオフモードに移行するようにサブマイコン９を介して電源部１０に指示する。あるいは、メインＣＰＵ７１は、電源スイッチ５２のオフ操作をサブマイコン９経由で受け付けた場合にも、オフモードに移行するようにサブマイコン９を介して電源部１０に指示する。なお、メインＣＰＵ７１は、オフモードへの移行に際し、エンジンＣＰＵ８１経由でモード記憶部８２のモード情報を「０」（「オフモード」）に更新する。
【００３１】
オフモードにおいて、電源部１０は、メインＣＰＵ７１及びエンジンＣＰＵ８１を含む各部への電源供給を遮断し、サブマイコン９のみに電源を供給する。すなわち、オフモードは、サブマイコン９によって電源スイッチ５２の操作だけを監視するモードである。サブマイコン９は、上述のように機能が限定されているため、消費電力がメインＣＰＵ７１及びエンジンＣＰＵ８１のクロック低速モードに比べて格段に小さくなっている。
【００３２】
オフモードにおいて、サブマイコン９は、電源スイッチ５２のオン操作を受け付けると、電源部１０からメインＣＰＵ７１への電源供給を開始させ、メインＣＰＵ７１を起動させる。メインＣＰＵ７１は、起動時であることで、レディーモードへの移行であることを認識し、レディーモードに移行するようにサブマイコン９を介して電源部１０に指示する。なお、メインＣＰＵ７１は、レディーモードへの移行に際し、エンジンＣＰＵ８１経由でモード記憶部８２のモード情報を「１」（「オフモード以外」）に更新する。
【００３３】
次に、サブマイコン９とエンジンＣＰＵ８１との間に設けられた信号線について図４及び図５を参照して詳細に説明する。
図４を参照すると、サブマイコン９とエンジンＣＰＵ８１との間には、信号線ＰＬＵＧＩＮと、信号線ＣＯＭＰと、信号線ＨＬＤ＿ＥＮＧと、信号線ＨＬＤ＿ＳＣＮと、信号線ＷＫＵＰが設けられている。
【００３４】
信号線ＰＬＵＧＩＮは、モード記憶部８２に記憶されたモード情報を、エンジンＣＰＵ８１からサブマイコン９にモード通知信号として通知する信号線である。エンジンＣＰＵ８１は、モード情報を確認し、モード情報が「０」（「オフモード」）の場合、モード通知信号を「０」に設定し、モード情報が「１」（「オフモード以外」）の場合、モード通知信号を「１」に設定する。
【００３５】
信号線ＣＯＭＰは、モード通知信号の通知が完了したことを、エンジンＣＰＵ８１からサブマイコン９に通知完了信号として通知する信号線である。エンジンＣＰＵ８１は、起動時に通知完了信号を「０」に設定し、モード通知信号の通知が完了すると、通知完了信号を「１」に切り換える。
【００３６】
信号線ＨＬＤ＿ＥＮＧと信号線ＨＬＤ＿ＳＣＮとは、電源状態判別動作実行後の起動であることを、サブマイコン９からエンジンＣＰＵ８１に電源状態判別信号として通知する信号線である。サブマイコン９は、図５に示すように、起動時に電源状態判別信号を「１」に設定する。
【００３７】
信号線ＷＫＵＰは、レディーモードへの復帰を、メインＣＰＵ７１からサブマイコン９を経由してエンジンＣＰＵ８１にウェイクアップ信号として通知する信号線である。メインＣＰＵ７１は、サブマイコン９に対し、スリープモードでウェイクアップ信号を「０」に設定させ、レディーモードへの復帰時にウェイクアップ信号を「１」に切り換えさせる。本実施の形態では、スリープモードからレディーモードへの通常の復帰以外に、スリープモード中に内部的に起動してエンジン部の状態を確認するホールド復帰という仕様がある。従って、メインＣＰＵ７１からエンジンＣＰＵ８１に通常の復帰かホールド復帰かを通知する必要があり、信号線ＨＬＤ＿ＥＮＧと信号線ＨＬＤ＿ＳＣＮとは、スリープモードからの復帰種別、すなわち通常の復帰かホールド復帰かを、メインＣＰＵ７１がサブマイコン９を経由させてエンジンＣＰＵ８１にホールド復帰判別信号として通知する信号線としても用いられる。メインＣＰＵ７１は、図５に示すように、通常の復帰時にホールド復帰判別信号を「０」に設定し、ホールド復帰時にホールド復帰判別信号を「１」に設定する。これにより、エンジンＣＰＵ８１は、スリープモードからレディーモードへの復帰時に、ホールド復帰判別信号を確認することで、通常の復帰かホールド復帰かを判断することかできる。ホールド復帰では、エンジンＣＰＵ８１は、エンジン部における大部分のモーターやヒーターを駆動することなく、センサーやセンサーによる検出に必要な一部のモーター（用紙検出のためのリフトアップモーター等）のみを起動し、トナー残量や用紙残量を確認する。メインＣＰＵ７１は通信部１１を介してユーザーの要求を受け取るとエンジンＣＰＵ８１をホールド復帰させる。エンジンＣＰＵ８１はセンサーの情報を読み取り、メインＣＰＵ７１に通知する。メインＣＰＵ７１はエンジンＣＰＵ８１から受け取った機械状態をユーザーに通知して再びスリープモードに戻る。
【００３８】
次に、サブマイコン９の起動時の電源状態判別動作について図６を参照して詳細に説明する。
停電やＡＣプラグの挿抜により電力供給が遮断された後に再投入されると、まず、オフモードと同様に、サブマイコン９のみに電源が供給されて起動される。サブマイコン９は、起動時に、電力供給が遮断された際の電源供給モードを判別する電源状態判別動作を実行する。図６を参照すると、サブマイコン９は、信号線ＨＬＤ＿ＥＮＧと信号線ＨＬＤ＿ＳＣＮの電源状態判別信号を「１」に設定し（ステップＡ１）、エンジンＣＰＵ８１に電源を供給して起動する（ステップＡ２）。
【００３９】
エンジンＣＰＵ８１は、起動時に電源状態判別信号が「１」に設定されていることで、電源状態判別動作実行後の起動であることを確認する。エンジンＣＰＵ８１は、電源状態判別動作実行後の起動であることを確認すると、通常の復帰やホールド復帰のようにエンジン部を駆動させることなく、モード記憶部８２に記憶されたモード情報をモード通知信号として通知する。そして、エンジンＣＰＵ８１は、モード通知信号の通知が完了すると、通知完了信号を「１」に切り換える。
【００４０】
次に、サブマイコン９は、信号線ＰＬＵＧＩＮのモード通知信号の「１」への切り換わりと（ステップＡ３）、信号線ＣＯＭＰの通知完了信号の「１」への切り換わりと（ステップＡ４）、タイムアウトの検出と（ステップＡ５）、を監視する。
【００４１】
ステップＡ３でモード通知信号の「１」への切り換わりを検出すると、サブマイコン９は、電力供給が遮断された際の電源供給モードがオフモードではないことを認識する。そして、オフモードではないことを認識したサブマイコン９は、電源部１０からメインＣＰＵ７１への電源供給を開始させて、メインＣＰＵ７１を起動させ（ステップＡ６）、電源状態判別動作を終了させる。これにより、画像形成装置１は、ユーザーの使用感を損なうことなく、レディーモードで復帰することになる。
【００４２】
ステップＡ３でモード通知信号の「１」への切り換わりを検出することなく、ステップＡ４で通知完了信号の「１」への切り換わりを検出すると、サブマイコン９は、モード通知信号が「０」が設定され、電力供給が遮断された際の電源供給モードがオフモードであることを認識する。そして、オフモードであることを認識したサブマイコン９は、電源部１０からエンジンＣＰＵ８１への電源供給を遮断させ（ステップＡ７）、電源状態判別動作を終了させる。これにより、画像形成装置１は、オフモードで復帰することになる。例えば、モード通知信号が「０」であった場合、それが「オフモード」を意味しているのか、接続不良を意味しているのかを判断するためである。そこで、本実施の形態では、通知完了信号が設けられている。エンジンＣＰＵ８１は、モード情報をモード通知信号として信号線ＰＬＵＧＩＮに反映すると、信号線ＣＯＭＰの通知完了信号を「１」へ切り換える。これにより、モード通知信号が「０」を維持している場合でも、通知完了信号が「１」に切り換われば、オフモードに復帰させることができる。なお、本実施の形態では、エンジンＣＰＵ８１は、電源状態判別動作実行後の起動であることを確認すると、通常の復帰やホールド復帰のようにエンジン部を駆動させることがない。従って、電力供給の再投入時にオフモードに移行する際、エンジン部におけるモーターやセンサーの駆動に起因する音や振動が発生することなく、ユーザーの使用感を損なわない。
【００４３】
ステップＡ３でのモード通知信号の「１」への切り換わりと、ステップＡ４での通知完了信号の「１」への切り換わりとを検出することなく、ステップＡ５でタイムアウトを検出すると、サブマイコン９は、エンジンＣＰＵ８１の起動不良やエンジン基板との接続不良による通信エラーが発生したことを認識する。エンジンＣＰＵ８１の起動不良やエンジン基板との接続不良があった場合には、電力供給が遮断された際の電源供給モードに関わらずメインＣＰＵ７１を起動して、通信エラーをユーザーに知らせる必要がある。しかし、通信エラーであった場合は、通知完了信号も変化しないため、サブマイコン９にタイムアウトが設けられている。電源供給の開始からエンジンＣＰＵ８１がモード記憶部８２のモード情報を読み出して信号線ＣＯＭＰのモード通知信号として反映するまでの時間を元にタイムアウト時間を設定し、タイムアウト時間が経過しても通知完了信号が変化しない場合は、サブマイコン９は、通信エラーが発生したことを認識する。通信エラーが発生したことを認識したサブマイコン９は、電源部１０からメインＣＰＵ７１への電源供給を開始させて、メインＣＰＵ７１を起動させ（ステップＡ８）、通信エラーをメインＣＰＵ７１に通知し（ステップＡ９）、電源状態判別動作を終了させる。これにより、メインＣＰＵ７１は、液晶表示部５１等を用いて通信エラーをユーザーに通知することができる。
【００４４】
以上説明したように、本実施の形態は、装置全体を制御するメインＣＰＵ７１と、メインＣＰＵ７１から指示を受けて印刷ジョブの実行を制御する、メインＣＰＵ７１よりも消費電力が小さいエンジンＣＰＵ８１とを備えた画像形成装置１であって、電源供給モードとして、メインＣＰＵ７１及びエンジンＣＰＵ８１に電源が供給されるレディーモードと、メインＣＰＵ７１及びエンジンＣＰＵ８１への電源が遮断され、電源スイッチ５２の操作だけを監視するオフモードとを有し、全ての電源供給モードで電源が供給され電源スイッチ５２の操作を監視するサブマイコン９と、エンジンＣＰＵ８１の管理下にあり、電源供給モードをモード情報として記憶する不揮発性メモリーであるモード記憶部８２とを具備し、サブマイコン９は、オフモードで電源スイッチ５２のオン操作を検出すると、メインＣＰＵ７１及びエンジンＣＰＵ８１への電源の供給を開始させて起動させ、メインＣＰＵ７１は、起動によりエンジンＣＰＵ８１経由でモード情報を「オフモード以外」に更新した後、レディーモードに移行させると共に、レディーモードでサブマイコン９によって電源スイッチ５２のオフ操作が検出されると、エンジンＣＰＵ８１経由でモード情報を「オフモード」に更新した後、オフモードに移行させ、サブマイコン９は、電源が遮断された後に再起動されると、エンジンＣＰＵ８１への電源の供給を開始させて起動させて、エンジンＣＰＵ８１経由でモード情報を確認する電源状態判別動作を行い、電源が遮断される前の電源供給モードに復帰させる。
この構成により、電源スイッチ５２の操作を監視するサブマイコン９として、不揮発性メモリーへのアクセス機能を有していない、機能が限定されるものを用いても、停電やＡＣプラグの挿抜により電力供給が遮断され再投入されると、電力供給が遮断される前の電源供給モードに復帰させることができるため、ユーザーの使用感を損なうことがない。また、サブマイコン９の機能が限定されているため、サブマイコン９の消費電力をメインＣＰＵ７１及びエンジンＣＰＵ８１のクロック低速モードに比べても格段に小さくすることができ、オフモードでの消費電力を抑制することができる。
【００４５】
さらに、本実施の形態によれば、サブマイコン９とエンジンＣＰＵ８１との間には、モード情報をモード通知信号として通知する第１の信号線ＰＬＵＧＩＮと、モード通知信号の通知が完了したことを通知完了信号として通知する第２の信号線ＣＯＭＰとが設けられており、サブマイコン９は、エンジンＣＰＵ８１の起動後に、通知完了信号が予め設定したタイムアウト時間が経過しても通知されない場合には、メインＣＰＵ７１への電源の供給を開始させて起動させる。
この構成により、エンジンＣＰＵ８１の起動不良やエンジン基板との接続不良による通信エラーが発生したことを、ユーザーに対してレディーモードで速やかに通知することができる。
【００４６】
さらに、本実施の形態によれば、電源供給モードとして、メインＣＰＵ７１及びエンジンＣＰＵ８１をクロック低速モードで動作させるスリープモードを有し、サブマイコン９とエンジンＣＰＵ８１との間には、スリープモードからの復帰種別を通知する第３の信号線ＨＬＤ＿ＥＮＧ、ＨＬＤ＿ＳＣＮが設けられており、サブマイコン９は、第３の信号線ＨＬＤ＿ＥＮＧ、ＨＬＤ＿ＳＣＮを用いてエンジンＣＰＵ８１に電源状態判別動作のための起動であることを認識させる。
この構成により、既存の信号線を用いてエンジンＣＰＵ８１に電源状態判別動作を認識させることができる。従って、エンジンＣＰＵ８１では、電源状態判別動作に際し、エンジン部でのモーターやセンサーの駆動を停止させることができ、エンジン部におけるモーターやセンサーの駆動に起因する音や振動が発生することなく、ユーザーの使用感を損なうことがない。
【００４７】
なお、本発明が上記各実施の形態に限定されず、本発明の技術思想の範囲内において、各実施の形態は適宜変更され得ることは明らかである。
【符号の説明】
【００４８】
１  画像形成装置
２  原稿読取部
３  原稿給送部
４  本体部
５  操作部
６  記録部
７  主制御部
８  エンジン制御部
９  サブマイコン
１０  電源部
１１  通信部
１２  記憶部
２１  スキャナー
２２  プラテンガラス
２３  原稿読取スリット
２４  光源
２５  受光部
３１  原稿載置部
３２  原稿搬送機構
３３  原稿排出部
４０  搬送部
４１  給紙部
４２  給紙ローラー
４３  用紙搬送路
４４  搬送ローラー
４５  排出ローラー
４６  排出部
５１  液晶表示部
５２  電源スイッチ
５３  操作ボタン
６１  感光体ドラム
６２  帯電部
６３  露光部
６４  現像部
６５  転写部
６６  定着部
６７  クリーニング部
７１  メインＣＰＵ
７２  画像処理部
８１  エンジンＣＰＵ
８２  モード記憶部
【図１】
2017132113.tif 000003
【図２】
2017132113.tif 000004
【図３】
2017132113.tif 000005
【図４】
2017132113.tif 000006
【図５】
2017132113.tif 000007
【図６】
2017132113.tif 000008